(57)【要約】      （修正有）【課題】空気調和機の稼働台数に応じて表示方法を可変することで、表示部を最大限有効に使用し、管理者の操作性が向上する中央管理装置を備えた空気調和システムを提供する。【解決手段】中央管理装置は、管理テーブルを参照して、電源の項目が『入』となっている室内機、つまりは現在運転中である室内機が何台であるかを認識する。そして、中央制御装置は、運転中の室内機の台数に応じた表示画面を記憶部から選択して読み出し、表示部１６に表示する。その際、運転中の室内機の台数が少なく、室内機の１台あたりの表示エリアを大きく取れる場合は、表示エリアの大きさに対応して、室内機毎に動作情報を表示する。その際、動作情報の各項目は、予め管理者により設定された優先順位に従って管理テーブルから抽出される。【選択図】図５
2011158105.tif 000002
【特許請求の範囲】
【請求項１】
複数の空気調和機と、複数の前記空気調和機と通信可能に接続され、複数の前記空気調和機を集中的に管理制御する中央管理装置とを備えた空気調和システムであって、
前記中央管理装置は、内部に前記空気調和機の運転状態に関する情報を記憶する記憶部と、前記空気調和機の運転状態に関する情報を表示する表示部を有し、稼働している前記空気調和機の台数に応じて、前記表示部で、前記空気調和機の個別の運転状態に関する情報を表示するエリアの大きさを可変させることを特徴とする空気調和システム。
【請求項２】
前記中央管理装置は、前記空気調和機の運転状態に関する情報を前記表示部に表示する際に、前記空気調和機の運転状態に関する情報の個別項目を、予め設定された優先順位に従って選択的に表示することを特徴とする請求項１記載の空気調和機。
【請求項３】
前記中央管理装置は、複数の前記空気調和機を前記表示部に表示する際の表示順序を、予め設定された条件に従って決定することを特徴とする請求項１及び請求項２記載の空気調和機。
【発明の詳細な説明】
【技術分野】
【０００１】
本発明は、複数の空気調和機と、これら空気調和機の管理制御を行う中央管理装置とを備えた空気調和システムに関わり、特に、中央管理装置の表示部において、空気調和機の稼働情報に応じて、空気調和機の運転状態に関する情報を表示する表示エリアの大きさを可変する空気調和システムに関する。
【背景技術】
【０００２】
従来、複数のテナントが入居するビル等の建物には、各フロアに設置される複数の室内機と、これら複数の室内機が並列的に冷媒配管接続された１台もしくは複数の室外機と、これらと信号線で通信可能に接続され、室内機及び室外機を集中的に管理制御する中央管理装置とを備えた空気調和システムが設置されている。このような空気調和システムでは、システムの管理者は、中央管理装置の表示部に表示される、室内機や室外機の運転・停止等の稼働情報に関する情報（以下、稼働情報と記載する）を確認し、確認した情報に応じた管理や制御を行うため、管理者の操作性を考慮した、様々な表示部の表示方法が提案されている。
【０００３】
例えば、特許文献１では、複数の空気調和機と、これらを管理制御する中央管理装置とを備えた空気調和システムにおいて、中央管理装置の表示部に、建物に設置されている全ての空気調和機の稼働情報、もしくは、複数の空気調和機をグループ化し、グループを構成する空気調和機の稼働情報を表示する第１の表示画面と、第１の表示画面で選択された１台の空気調和機の、設定温度や風量等の運転状態に関する情報（以下、動作情報と記載する）を表示する第２の表示画面とを同時に表示している。
【０００４】
このように１つの画面に、複数の空気調和機の稼働情報と、個々の空気調和機の動作情報とを同時に表示することによって、管理者が画面を切り替えることなく空気調和機の稼働情報と動作情報とを監視できると共に、所望の空気調和機の動作状態について新たな設定や変更を行なうために、初期画面から操作画面を呼び出すまでのステップが短縮されるので、管理者の負担を軽減することができる。
【０００５】
しかし、以上説明した特許文献１では、第１の表示画面は、当該空気調和システムにおいて設置可能な最大台数の空気調和機が表示できるように設定されているため、小規模なビル等に設置する空気調和機の台数が少なくてよい場合には、第１の表示画面に、最大表示可能な空気調和機台数から実際に設置されている空気調和機の台数を引いた台数分に対応する箇所に何も表示されないスペースが発生するため、中央管理装置の表示部全体を最大限有効に使用できないという問題があった。
【０００６】
また、第１の表示画面に、グループ別に空気調和機の稼働情報を表示する際には、空気調和機１台あたりの表示エリアが拡張され、管理者の視認性が向上すると共に、上述した全ての空気調和機を表示する場合に比べて、画面を有効活用できるようにはなっているが、この場合も、グループを構成する空気調和機の台数が、予め設定されている最大の表示台数を下回る台数であれば、やはり何も表示されないスペースが発生するという問題があった。
【０００７】
さらには、特許文献１では、表示画面１で選択された個々の空気調和機の動作情報を第２の表示画面で見ることができるが、１度に１台の空気調和機の動作情報しか見ることができない。従って、管理者が、例えばあるグループを構成する空気調和機全てに、共通の設定を行うために現状の動作情報を確認したい場合には、１台ずつ第１の表示画面で当該空気調和機を選択せねばならず、管理者にとって操作が煩雑となってしまい、操作性が悪くなるという問題があった。
【先行技術文献】
【特許文献】
【０００８】
【特許文献１】特許第３４９５１９１号公報（第３〜４頁、第６図、第１２図及び第１３図）
【発明の概要】
【発明が解決しようとする課題】
【０００９】
本発明は以上述べた問題点を解決し、空気調和機の稼働台数に応じて、空気調和機の運転状態に関する情報を表示する表示エリアの大きさを可変することで、表示部を最大限有効に使用し、管理者の操作性を向上させた中央管理装置を備えた空気調和システムを提供することを目的とする。
【課題を解決するための手段】
【００１０】
本発明は上述の課題を解決するものであって、本発明の空気調和システムは、複数の空気調和機と、複数の空気調和機を集中的に管理制御する中央管理装置とを備えており、中央管理装置の表示部に空気調和機の状態を表示する際に、稼働している空気調和機の台数に応じて、空気調和機１台あたりの運転状態に関する情報を表示するエリア（以下、表示エリアと記載する）の大きさを可変させるものである。
【００１１】
そして、空気調和機１台あたりの運転状態に関する情報の表示エリアの大きさに対応して、所定の数の動作情報を表示エリアに表示するものであり、表示する動作情報は、予め設定された優先順位に従って順に表示されるものである。さらには、表示部における表示エリアの配置を、予め設定された所定の条件で整列するようにしたものである。
【発明の効果】
【００１２】
本発明の空気調和システムは、中央管理装置の表示部における表示内容を、空気調和機の稼働台数に応じて、空気調和機１台あたりの運転状態に関する情報の表示エリアの大きさを可変させている。例えば、台数が多い場合は稼働情報のみ、台数が少ない場合は表示エリアに動作情報を表示する、というように台数に応じて表示内容を変えて、管理者が管理制御したい空気調和機の台数に応じた表示とすることによって、管理者の確認作業が容易となり、管理者の操作性が向上する。
【００１３】
また、動作情報を予め管理者により定められた優先順で表示し、また、表示エリアの配置についても、予め管理者により設定された順番で表示するようにしているので、管理者が必要とする管理制御作業に応じた表示とすることができ、管理者の操作性がより向上する。
【図面の簡単な説明】
【００１４】
【図１】本発明の実施例である空気調和システムの構成を説明する図である。
【図２】本発明の実施例における、中央管理装置の構成ブロック図である。
【図３】本発明の実施例における、記憶部に格納した管理テーブルである。
【図４】本発明の実施例における、表示部の表示内容である表示画面Ａを説明する図である。
【図５】本発明の実施例における、表示部の表示内容である表示画面Ｂを説明する図である。
【図６】本発明の実施例における、表示部の表示内容である表示画面Ｃを説明する図である。
【図７】本発明の実施例における、表示部の表示内容である表示画面Ｄを説明する図である。
【図８】本発明の実施例における、表示部の表示内容である表示画面Ｅを説明する図である。
【図９】本発明の実施例における、中央管理装置の制御部での処理を説明するフローチャートである。
【発明を実施するための形態】
【００１５】
以下、本発明の実施の形態を、添付図面に基づいて詳細に説明する。尚、実施例としては、１００台の室内機を有する空気調和機と、空気調和機を集中的に管理制御する中央管理装置とを備えた空気調和システムを例に挙げて説明する。尚、本発明は以下の実施形態に限定されることはなく、本発明の主旨を逸脱しない範囲で種々変形することができる。
【実施例１】
【００１６】
図１に示すように、本発明による空気調和システム１は、複数の室内機３０と、複数の室外機４０と、これらとネットワーク７０で通信可能に接続され、室内機３０や室外機４０の集中管理制御を行う中央管理装置１０とから構成されており、５階建てで各フロアに複数のテナントが入居しているビルに設置されている。
【００１７】
室内機３０はビルの１階（図１では１Ｆと記載）から５階（図１では５Ｆと記載）の各フロアに２０台ずつ設置されており、例えば、図１に示すように１階には２０台の室内機３０が、２階には２０台の室内機３０が、５階には２０台の室内機３０が、設置されている。また、図示は省略するが、３階及び４階についても同様に、各２０台ずつ室内機３０が設置されている。
室外機４０は、ビルの屋上等の屋外に設置されており、１台の室外機４０につき最大１０台の室内機３０を接続できるようになっている。
【００１８】
各室内機３０や室外機４０には、図１に示すように識別情報が付与されており、例えば、１階の室内機３０は識別情報：１Ｆ００１〜１Ｆ０２０、とされており、１階の室内機３０が接続された室外機４０は識別情報：１Ｆ１０１〜１Ｆ１０３とされている。同様に、２階の室内機３０は識別情報：２Ｆ００１〜２Ｆ０２０、２階の室内機３０が接続されている室外機４０は識別情報：２Ｆ１０１と２Ｆ１０２、５階の室内機３０は識別情報：５Ｆ００１〜５Ｆ０２０、５階の室内機３０が接続されている室外機４０は識別情報：５Ｆ１０１と５Ｆ１０２、とされている。その他のフロアについても同様に識別情報が付与されているが、説明は省略する。
【００１９】
各室内機３０は、室外機４０に一対のガス（高圧側）管と液（低圧側）管とで構成される配管６０にて接続されており、これによって複数の冷媒系統が設けられることとなっている。例えば、１階では識別情報：１Ｆ１０１の室外機４０に、識別情報：１Ｆ００１〜１Ｆ００６までの６台の室内機３０が配管６０によって接続されて冷媒系統Ｌ１−１を構成している。同様に、識別情報：１Ｆ１０２の室外機４０に、識別情報：１Ｆ００７〜１Ｆ０１４までの８台の室内機３０が配管６０によって接続されて冷媒系統Ｌ１−２を構成し、識別情報：１Ｆ１０３の室外機４０に、識別情報：１Ｆ０１５〜１Ｆ０２０までの６台の室内機３０が配管６０によって接続されて冷媒系統Ｌ１−３を構成している。
【００２０】
また、２階では識別情報：２Ｆ１０１の室外機４０に、識別情報：２Ｆ００１〜２Ｆ０１０までの１０台の室内機３０が配管６０によって接続されて冷媒系統Ｌ２−１を構成し、識別情報：２Ｆ１０２の室外機４０に、識別情報：２Ｆ０１１〜２Ｆ０２０までの１０台の室内機３０が配管６０によって接続されて冷媒系統Ｌ２−２を構成している。５階では識別情報：５Ｆ１０１の室外機４０に、識別情報：５Ｆ００１〜５Ｆ０１０までの１０台の室内機３０が配管６０によって接続されて冷媒系統Ｌ５−１を構成し、識別情報：５Ｆ１０２の室外機４０に、識別情報：５Ｆ０１１〜５Ｆ０２０までの１０台の室内機３０が配管６０によって接続されて冷媒系統Ｌ５−２を構成している。その他のフロアについても同様にそれぞれの室外機４０と室内機３０とで冷媒系統が構成されているが、説明は省略する。
【００２１】
また、これら室内機３０や室外機４０は、それぞれネットワーク７０を介して中央管理装置１０に接続されており、相互に通信が行えるようになっている。管理者は、中央管理装置１０から空気調和システム１設置時の初期設定や、フロア毎の空調制御が問題なく行われているか等、空気調和システム１全体の監視や管理制御を行うことができる。また、各室内機３０には、室内機３０の操作を行うためのリモコン５０が備えられている。このリモコン５０は、運転開始／停止、運転モードの決定、設定温度や風量、風向板動作の設定等の図示しない操作ボタンが備えられており、対応する室内機３０に対して、これら操作ボタンを操作することにより空調制御のための様々な指示を行うことができる。
【００２２】
図２の中央管理装置の構成ブロック図に示すように、中央管理装置１０は、室内機３０や室外機４０の運転設定情報等の管理データや各リモコン５０から指示された運転設定の変更情報等を記憶する記憶部１２と、室内機３０や室外機４０との信号の入出力インターフェイスである通信部１３と、空調システム１以外のビルに設置された管理システムとの信号の入出力インターフェイスであるシステム通信部１４と、キーボードやマウス等の操作部１５と、液晶パネルやタッチパネル等からなる表示部１６と、これらを制御する制御部１１とを備えている。
【００２３】
この中央管理装置１０は、管理者が操作部１５から空気調和システム１に対する指示を入力し、この指示データを表示部１６に表示すると共に、通信部１３を介してこれらの指示を室内機３０や室外機４０に送信する。この指示を受信した室内機３０や室外機４０は、指示内容に従って運転開始／停止、冷房／暖房等の運転モードの決定、設定温度の変更等といった運転条件に関する指示を実行する。尚、指示通りに実行された場合、室内機３０や室外機４０の最新の設定情報は設定データとして中央管理装置１０に送信され、中央管理装置１０は、この設定データに基づいて記憶部１２の管理テーブルを更新する。
【００２４】
図３に示すように、この管理テーブルは、室内機３０や室外機４０の設置場所及び識別情報の管理や、運転設定情報をリアルタイムで把握するためのものであり、空気調和システム１の管理者が中央管理装置１０の表示部１６に表示して内容を確認することができるものである。尚、ここでは、○月×日の１２時時点（ビルに存在する全てのテナントが営業し、全ての室内機３０が運転中である時間）における、各室内機３０の運転状況を示している。
【００２５】
この管理テーブルは、室内機３０や室外機４０から定期的に受信する運転状態やリモコン５０の操作によって運転状態が変更された場合に、あるいは、中央管理装置１０の操作部１５を操作することによって運転状態が変更された場合に、随時更新される。尚、ここでは室内機３０の管理項目のみ表示しているが、室外機４０に関する管理項目については本実施例の説明に直接関係がないため、記載を省略している。
【００２６】
管理テーブルには、空気調和システム１の設置時に規定される項目と、通常の運転において更新される項目とが表示されている。設置時に規定される項目としては、フロア、冷媒系統、設置場所、及び識別情報があり、冷媒系統の項目は各フロアに設置されている室外機４０と複数の室内機３０との冷媒配管接続の系統を示すものである。
【００２７】
また、設置場所の項目はフロアにおける室内機３０の設置位置を示しており、例えば冷媒系統：Ｌ１−１の室内機３０であればテナント１Ａ〜１Ｃ、冷媒系統：Ｌ１−２の室内機３０であればテナント１Ｄ〜１Ｇ、冷媒系統：Ｌ１−３の室内機３０であればテナント１Ｈ〜１Ｊ、がそれぞれ設置場所であることを示している。また、識別情報の項目は、空気調和システム１内の通信において通信相手を識別するために用いられる。
【００２８】
通常の運転において更新される項目としては、室内機３０の稼働情報である電源や、室内機３０の動作情報である運転モード、設定温度、室温、風量及び風向板動作といったものがある。電源の項目は室内機３０の電源入／切状態、つまりは室内機３０が運転中もしくは停止中であるかを示している。また、運転モードの項目は冷房／暖房等の区別を、設定温度の項目は室内機３０毎に設定されている目標となる室内温度を、室温の項目は室内機３０が設置されているテナントの現在の温度を、それぞれ示している。
【００２９】
また、風量の項目は、図示しない室内機３０の吹出口から排出される風の強さを示しており、風の弱い方から、微弱／弱／中／やや強／強、の５段階で調節できるようになっている。また、風向板動作の項目は、上述した吹出口に設けられる図示しない上下及び左右風向板の動作状態を示しており、『上下』は上下風向板が動作している状態、『左右』は左右風向板が動作している状態、『停止』は上下風向板／左右風向板共に動作していない状態であることをそれぞれ示している。
尚、以上の項目以外に、各室内機３０のタイマー運転設定状態を示す項目や、一つの冷媒系統において、どの室内機３０が代表機に設定されているかを示す項目等が管理テーブルには設けられているが、本実施例の説明に直接関係がないため、記載を省略している。
【００３０】
次に、図１乃至図３を用いて、本実施例の空気調和システムにおいて、表示部１６に室内機３０の稼働情報に応じて表示内容を可変する原理について説明する。制御部１１は、図３に示す管理テーブルから、現在稼働している室内機３０、つまり、管理テーブルで電源が「入」となっている室内機３０が何台かを抽出する。
【００３１】
次に、制御部１１は、運転中の室内機３０の運転状態に関する情報を表示部１６に表示する。その際に、制御部１１は、表示部１６における運転中の室内機３０を表示するスペースを、運転中の室内機３０の台数に応じて均等に割り当て、これを室内機３０の運転状態に関する情報を表示する表示エリアとする。
【００３２】
従って、運転中の室内機３０の台数が多いほど、１台の室内機３０に対する表示エリアが小さくなり、運転中の室内機３０の台数が少ないほど、１台の室内機３０に対する表示エリアが大きくなる。制御部１１は、この表示エリアの大きさに応じて、表示エリアに表示する室内機３０の動作情報の個別項目を、管理者によって予め設定されている優先順位に従って表示する。例えば、管理者によって個別項目の優先順位が、設定温度、室温、風量、風向板動作、の順で決められている場合に、表示エリアが小さい時は設定温度のみ表示し、表示エリアが大きい時は上述した順ですべての個別項目を表示する。
【００３３】
また、表示部１６における表示エリアの配置についても、管理者が予め設定した条件に従って配置することができる。例えば、管理者によって室内機３０の設定温度が低いものから順に配置するよう決められている場合は、表示部１６の最上部に設定温度が一番低い室内機３０に対応する表示エリアが配置され、以下設定温度の低い室内機３０順に、対応する表示エリアが配置される。
【００３４】
次に、図１乃至図８を用いて、本実施例の空気調和システムによる表示部１６での具体的な表示画面及び表示方法について説明する。中央管理装置１０の制御部１１は、図３に示す記憶部１２に格納されている管理テーブルを所定のタイミングで参照し、全室内機３０の稼働情報、つまり、管理テーブルの電源の項目に記載の情報を抽出して、現在運転中の室内機３０の台数を認識する。記憶部１２には、表示する室内機３０の台数に応じた表示画面が複数パターン格納されており、制御部１１は、運転中の室内機３０の台数に応じた表示画面を記憶部１２より読み出し、表示部１６に表示する。
【００３５】
尚、以下の説明では、説明をわかりやすくするため、運転中の室内機３０が、５１台以上１００台以下の場合、１１台以上５０台以下の場合、及び１０台以下の場合、というように台数を段階的に分け、それぞれに対応した表示画面において、表示部１６の表示スペースを運転中の室内機３０の台数に応じて、室内機３０の表示エリアを均等に割り当てる場合について説明しているが、段階を増減し、これに対応する表示画面を用意してもよく、また、段階を設けずに運転中の室内機３０の台数で表示部１６の表示スペースを均等に割り当てて表示エリアとしてもよい。
【００３６】
まずは、運転中の室内機３０が、５１台以上１００台以下の場合の表示画面について説明する。制御部１１が、○月×日の１２：００に記憶部１２にアクセスし、図３に示す管理テーブルを参照して電源の項目から運転中の室内機３０の台数を抽出する。図３に示すように、この時刻では空気調和システム１の全ての室内機３０が運転中であるため、制御部１１は、運転中の室内機３０が１００台であると認識する。
【００３７】
この時、制御部１１は、図４に示す表示画面Ａを記憶部１２から読み出し、表示部１６に表示する。この表示画面Ａは、運転中の室内機３０が、５１台以上１００台以下の場合の表示画面のパターンであり、図４に示すように、室内機表示部８０を、運転中の室内機３０の台数である１００台で均等に割り振り、室内機３０の運転情報に関する情報を表示する表示エリアである運転中室内機表示エリア８１としている。この場合、個々の運転中室内機表示エリア８１は小さくなるため、各室内機３０の識別情報のみを表示している。尚、図示は省略するが、表示されている室内機３０が運転中であることを示すために、例えば、運転中室内機表示エリア８１を緑色で表示し、全ての室内機３０が停止している場合は、運転中室内機表示エリア８１を青色で表示する、というようにして、管理者が一目して室内機３０の稼働状態を判別できる表示としている。
【００３８】
また、図４に示すように、表示画面Ａの下部には、管理者が操作を行なうための操作ボタン２０が設けられている。この操作ボタン２０は、全選択ボタン２１、個別選択ボタン２２、リモコン操作禁止ボタン２３、運転停止ボタン２４、及び戻りボタン２５とから構成されている。
【００３９】
表示画面Ａでは、管理者が操作部１５を操作して運転中室内機表示エリア８１を選択すると、表示されている識別情報に対応した室内機３０の、図示しない動作情報設定画面に表示部１６の表示が変わり、管理者は当該室内機３０に対して動作情報の確認や様々な設定変更を行うことができるようになっているが、例えば、表示されている全ての室内機３０に対し、同一の操作を行ないたい場合は、管理者が操作部１５を操作して全選択ボタン２１を選択した後に、リモコン操作禁止ボタン２３を選択すれば、表示されている全ての室内機３０について、それぞれ対応するリモコン５０からの操作が禁止されるよう設定できる。
【００４０】
また、管理者が操作部１５を操作して全選択ボタン２１を選択した後に、運転停止ボタン２４を選択すると、表示されている全ての室内機３０の運転を停止することができる。また、管理者が操作部１５を操作して個別選択ボタン２２を選択すると、表示されている全ての室内機３０の中から任意の室内機３０を選択できるようになり（選択された室内機３０は、表示画面Ａ上で色が変わる等、識別ができるような表示に変わる）、選択された室内機３０に対して、管理者がリモコン操作禁止ボタン２３や運転停止ボタン２４を選択すれば、選択された室内機３０のリモコン５０による操作の禁止や、運転停止をすることができる。
【００４１】
また、管理者が操作部１５を操作して戻りボタン２５を選択すれば、表示部１６の表示は、現在の表示画面より１階層上の画面に移行することができる。尚、以上説明した操作ボタン２０に関する機能については、以降説明する表示画面においても同一であるため、以降の説明では必要な場合を除いてその説明は省略する。
【００４２】
次に、制御部１１が、○月×日の１８：００に記憶部１２にアクセスし、管理テーブルを参照して電源の項目から運転中の室内機３０の台数を抽出する。この時、１００台ある室内機３０のうち、２０台が運転中で８０台が停止していたとする。制御部１１は、運転中の室内機３０が２０台であると認識し、図５に示す表示画面Ｂを記憶部１２から読み出し、表示部１６に表示する。この表示画面Ｂは、運転中の室内機３０が、１１台以上５０台以下の場合の表示画面のパターンであり、室内機表示部８０に表示された区画線２６を境として、図５の正面視で区画線２６に対し左側には、運転中の室内機３０の台数である２０台で均等に割り当てられた運転中室内機表示エリア８１が、区画線２６に対し右側には、停止中の８０台の室内機３０を表示するための停止中室内機表示エリア８２が、それぞれ表示されている。
【００４３】
図４に示す表示画面Ａの場合に比べて、運転中の室内機３０が減少した分、室内機３０の１台あたりの運転中室内機表示エリア８１が大きく割り当てられるため、図５に示すように、２０台の室内機３０に対応する運転中室内機表示エリア８１には、各室内機３０の識別情報に加えて、各室内機３０の動作情報の一つである設定温度が表示される。尚、表示される動作情報は、複数存在する動作情報について、管理者が予め定めた優先順位に従って表示するようにしており、制御部１１は、この優先順位に基づいて図３に示す管理テーブルから、当該動作情報を抽出し運転中室内機表示エリア８１に対応する室内機３０の動作情報を表示する。
【００４４】
一方、停止中室内機表示エリア８２には、停止中の室内機８０台が表示されている。停止している室内機３０については、動作情報等を確認する必要がなく、現在運転を停止していることが分かればよいので、当該室内機３０の識別情報のみを表示している。
【００４５】
次に、制御部１１が、○月×日の２１：００に記憶部１２にアクセスし、管理テーブルを参照して電源の項目から運転中の室内機３０の台数を抽出する。この時、１００台ある室内機３０のうち、４台が運転中で９６台が停止していたとする。制御部１１は、運転中の室内機３０が４台であると認識し、図６に示す表示画面Ｃを記憶部１２から読み出し、表示部１６に表示する。この表示画面Ｃは、運転中の室内機３０が、１０台以下の場合の表示画面のパターンであり、室内機表示部８０に表示された区画線２６を境として、図６の正面視で区画線２６に対し左側には、運転中の室内機３０の台数である４台で均等に割り当てられた運転中室内機表示エリア８１が、区画線２６に対し右側には、停止中の９６台の室内機３０を表示するための停止中室内機表示エリア８２が、それぞれ表示されている。
【００４６】
図４に示す表示画面Ａや図５に示す表示画面Ｂの場合に比べて、運転中の室内機３０が減少した分、室内機３０１台当たりの運転中室内機表示エリア８１がさらに大きく割り当てられるため、図６に示すように、４台の室内機３０に対応する運転中室内機表示エリア８１には、各室内機３０の識別情報に加えて、各室内機３０の動作情報である設定温度、室温、風量及び風向板動作が表示される。尚、動作情報の表示される順序は、管理者が予め定めた優先順位に従って、上から順に表示するようにしており、制御部１１は、図３に示す管理テーブルから、全ての動作情報を抽出し運転中室内機表示エリア８１に対応する室内機３０の動作情報を表示する。また、本実施例では、動作情報の項目として設定温度、室温、風量及び風向板動作を表示する場合について説明したが、例えば、これら４項目に運転モードを加える、あるいは、動作情報の表示する項目を４項目から３項目に減らす等、管理者が動作情報を増減することができる。
【００４７】
一方、停止中室内機表示エリア８２には、停止中の室内機９６台が表示されている。図５に示す表示画面Ｂの場合と同様に、停止している室内機３０については、動作情報等を確認する必要がなく、現在運転を停止していることが分かればよいので、当該室内機３０の識別情報のみを表示している。
【００４８】
以上説明したように、制御部１１は、運転中である室内機３０の台数に応じた表示画面を選択して表示部１６に表示し、表示部１６の表示スペースを運転中の室内機３０の台数で均等に割り振って運転中室内機表示エリア８１としている。また、室内機３０の１台あたりの運転中室内機表示エリア８１の大きさに応じて、室内機３０の動作情報の個別項目を、管理者により予め設定された優先順位に従って表示している。これにより、表示部１６を最大限有効に利用することができ、管理者の空気調和システム１の監視が行ないやすくなると共に、表示部１６を使用して空気調和システム１の管理制御を行う際も、操作性を向上させた中央管理装置１０とすることができる。
【実施例２】
【００４９】
次に、本発明の他の実施例について、図１乃至図３及び図５乃至図８を用いて説明する。尚、以下の説明では、空気調和システム１の構成や中央管理装置１０の構成、及び管理テーブルの内容や表示部１６に表示する表示画面の選択方法（運転中の室内機３０の台数による選択）については、実施例１に記載したものと同様であるため、詳細な説明を省略する。実施例１と異なるのは、運転中の室内機３０の台数が５０台以下の場合について、管理者が予め定めた所定の規則により表示画面における室内機３０の表示順を変更して表示することである。
【００５０】
まず、図５を用いて説明した時と同様に、運転中の室内機３０が２０台である場合について説明する。通常、制御部１１は、運転中の室内機３０が２０台であると認識すると、記憶部１２から図５に示す表示画面Ｂを読み出して表示部１６に表示する。この時、管理者によって運転中室内機表示エリア８１の並び順を、所定の設定、例えば、冷房運転時に設定温度を低く設定している室内機３０、つまり、省エネ運転に反した設定としている室内機３０を表示画面の上部に配置するような設定がなされていれば、制御部１１は、図７に示す表示画面Ｄを記憶部１２から読み出して、表示部１６に表示する。
【００５１】
表示画面Ｄは、図７の正面視に対し区画線２６の左側に、運転中の室内機３０に対応する運転中室内機表示エリア８１を表示しており、動作情報の個別項目の段階数（例えば、設定温度であれば、１℃毎に段階分けする）に応じて表示スペースを割り振って運転中室内機表示エリア８１とし、同じ個別項目の状態である室内機３０については、運転中室内機表示エリア８１を整列させて配置し、整列配置した運転中室内機表示エリア８１間に仕切線２７を表示している。例えば、図７に示すように、２０台の室内機３０の中で、設定温度が２５℃と一番低い、識別情報が４Ｆ０１０である室内機３０に対応する運転中室内機表示エリア８１を一番上位に表示している。以下、設定温度が２６℃の８台の室内機３０、設定温度が２７℃の６台の室内機３０、設定温度が２８℃の５台の室内機３０、の順に対応する運転中室内機表示エリア８１を表示している。
【００５２】
このような順序で室内機３０を表示することによって、管理者は、表示画面Ｄを見た時にどの室内機３０が省エネ運転に反した運転を行っているか、また、どの室内機３０が省エネ運転を行っているかを把握しやすくなり、例えば、設定温度が２６℃以下となっている室内機３０について、当該室内機３０が設置されているテナントに対し、設定温度を上げるよう指示を行なう、また、中央管理装置１０からの操作で当該室内機３０の設定温度を上げる、ということが容易に行なえるようになる。
【００５３】
次に、図６を用いて説明した時と同様に、運転中の室内機３０が４台である場合について説明する。通常、制御部１１は、運転中の室内機３０が４台であると認識すると、記憶部１２から図６に示す表示画面Ｃを読み出して表示部１６に表示する。この時、管理者によって運転中室内機表示エリア８１の並び順を、所定の設定、例えば、冷房運転時に設定温度を低く設定している室内機３０、つまりは省エネ運転に反した設定としている室内機３０を第１優先、設定温度と室温の差が大きい室内機３０を第２優先、として、表示画面の上部から順に配置するような設定がなされていれば、制御部１１は、図８に示す表示画面Ｅを記憶部１２から読み出して、表示部１６に表示する。
【００５４】
表示画面Ｅでは、図８の正面視に対し区画線２６の左側に、運転中の室内機３０に対応する運転中室内機表示エリア８１を表示しており、複数表示される個別項目のうち、第１優先である個別項目の段階数に応じて表示スペースを割り振って運転中室内機表示エリア８１とし、同じ個別項目の状態である室内機３０については、運転中室内機表示エリア８１を整列させて配置し、整列配置した運転中室内機表示エリア８１間に仕切線２８を表示している。また、第１優先である個別項目が同じ室内機３０が存在する場合は、第２優先である個別項目の段階や第１優先の個別項目との関係（例えば、第１優先項目が設定温度、第２優先項目が室温である場合は、これらの差を見て）に応じて運転中室内機表示エリア８１の配置を決定している。例えば、図８に示すように、４台の室内機３０の中で、設定温度が２６℃と一番低い、識別情報が３Ｆ００６である室内機３０を一番上位に表示している。次に、設定温度が２７℃の、識別情報が１Ｆ００３である室内機３０、次に、設定温度が２８℃で設定温度と室温との差が１℃の、識別情報が２Ｆ０１５である室内機３０、一番下に、設定温度が２８℃で設定温度と室温との差がない、識別情報が２Ｆ０１６である室内機３０、の順で表示している。
【００５５】
このような順序で室内機３０を表示することによって、管理者は、表示画面Ｅを見た時にどの室内機３０が省エネ運転に反した運転を行っているか、また、どの室内機３０が省エネ運転を行っているかを把握しやすくなり、また、設定温度が同じであっても、室温との差を見ることができるので、より適格に省エネ運転に反している、あるいは省エネ運転を行っている室内機３０を把握することができる。
【００５６】
次に、図９に示す空気調和システム１の制御フローチャートを用いて、実施例１及び実施例２で説明した中央管理装置１０の表示部１６に、表示画面Ａ乃至Ｅを表示する際の、制御部１１での処理の流れについて説明する。尚、図９のフローチャートにおいて、ＳＴはステップを表し、これに続く数字はステップ番号を表している。
【００５７】
制御部１１は、記憶部１２に格納されている図３に示す管理テーブルを参照し、現在の全室内機３０の稼働情報を抽出する（ＳＴ１）。次に、制御部１１は、抽出した稼働情報を参照し、現在運転中の室内機３０が０台（つまり、全ての室内機３０が停止している）であるか否かを判断する（ＳＴ２）。
【００５８】
現在運転中の室内機３０が０台であれば（ＳＴ２−Ｙｅｓ）、制御部１１は、記憶部１２から図４に示す表示画面Ａを読み出して表示部１６に表示し、運転中室内機表示エリア８１に表示されている室内機３０の表示を全て、停止中であることを示す青色とする（ＳＴ６）。
【００５９】
現在運転中の室内機３０が０台でなければ（ＳＴ２−Ｎｏ）、次に、制御部１１は、現在運転中の室内機３０が、５１台以上１００台以下であるか否かを判断する（ＳＴ３）。現在運転中の室内機３０が、５１台以上１００台以下であれば（ＳＴ３−Ｙｅｓ）、制御部１１は、記憶部１２から図４に示す表示画面Ａにおいて、運転中の室内機３０の台数に対応して、運転中室内機表示エリア８１の大きさを決定して室内機表示部１６に表示し、運転中室内機表示エリア８１に表示されている室内機３０の表示を全て、運転中であることを示す緑色とする（ＳＴ７）。
【００６０】
現在運転中の室内機３０の台数が、５１台以上１００台以下でなければ（ＳＴ３−Ｎｏ）、次に、制御部１１は、現在運転中の室内機３０が、１１台以上５０台以下であるか否かを判断する（ＳＴ４）。現在運転中の室内機３０が、１１台以上５０台以下であれば（ＳＴ４−Ｙｅｓ）、制御部１１は、表示部１６に運転中の室内機３０を表示するに際し、その表示順について予め設定されているか否かを判断する（ＳＴ８）。
【００６１】
運転中の室内機３０の表示順が予め設定されていなければ（ＳＴ８−Ｎｏ）、制御部１１は、記憶部１２から図５に示す表示画面Ｂにおいて、運転中の室内機３０の台数に対応して、運転中室内機表示エリア８１の大きさを決定し、この中に表示可能な室内機３０の動作情報の個別項目を含めて表示部１６に表示する（ＳＴ９）。運転中の室内機３０の表示順が予め設定されていれば（ＳＴ８−Ｙｅｓ）、制御部１１は、記憶部１２から図７に示す表示画面Ｄにおいて、運転中の室内機３０の台数に対応して、運転中室内機表示エリア８１の大きさを決定し、この中に表示可能な室内機３０の動作情報の個別項目を含め、かつ室内機３０の表示順に従って表示部１６に表示する（ＳＴ１２）。
【００６２】
ＳＴ４で、現在運転中の室内機３０が、１１台以上５０台以下でなければ（ＳＴ４−Ｎｏ）、次に、制御部１１は、現在運転中の室内機３０が１０台以下であるか否かを判断する（ＳＴ５）。現在運転中の室内機３０が１０台以下であれば（ＳＴ５−Ｙｅｓ）、制御部１１は、表示部１６に運転中の室内機３０を表示するに際し、その表示順について予め設定されているか否かを判断する（ＳＴ１０）。
【００６３】
運転中の室内機３０の表示順が予め設定されていなければ（ＳＴ１０−Ｎｏ）、制御部１１は、記憶部１２から図６に示す表示画面Ｃにおいて、運転中の室内機３０の台数に対応して、運転中室内機表示エリア８１の大きさを決定し、この中に表示可能な室内機３０の動作情報の個別項目を含めて表示部１６に表示する（ＳＴ１１）。運転中の室内機３０の表示順が予め設定されていれば（ＳＴ１０−Ｙｅｓ）、制御部１１は、記憶部１２から図８に示す表示画面Ｅにおいて、運転中の室内機３０の台数に対応して、運転中室内機表示エリア８１の大きさを決定し、この中に表示可能な室内機３０の動作情報の個別項目を含め、かつ室内機３０の表示順に従って表示部１６に表示する（ＳＴ１３）。
【００６４】
ＳＴ５で、現在運転中の室内機３０が１０台以下でない（ＳＴ５−Ｎｏ）場合や、ＳＴ６、ＳＴ７，ＳＴ９、ＳＴ１１、ＳＴ１２及びＳＴ１３の処理が終了した後、制御部１１は、表示部１６に表示された各表示画面において、管理者により操作された内容に対応した処理を行い（ＳＴ１４）、ＳＴ１に処理を戻す。
【００６５】
以上説明した通り、本発明によれば、中央管理装置の表示部における表示内容を、空気調和機の稼働台数に応じて、空気調和機１台あたりの運転状態に関する情報の表示エリアの大きさを可変させている。例えば、台数が多い場合は稼働情報のみ、台数が少ない場合は表示エリアに動作情報を表示する、というように台数に応じて表示内容を変えて、管理者が管理制御したい空気調和機の台数に応じた表示とすることによって、管理者の確認作業が容易となり、管理者の操作性が向上する。
【００６６】
また、動作情報を予め管理者により定められた優先順で表示し、また、表示エリアの配置についても、予め管理者により設定された順番で表示するようにしているので、管理者が必要とする管理制御作業に応じた表示とすることができ、管理者の操作性がより向上する。
【符号の説明】
【００６７】
１  空気調和システム
１０  中央管理装置
１１  制御部
１２  記憶部
１６  表示部
２０  操作ボタン
２６  区画線
２７  仕切線
２８  仕切線
３０  室内機
４０  室外機
５０  リモコン
６０  配管
７０  ネットワーク
８０  室内機表示部
８１  運転中室内機表示エリア
８２  停止中室内機表示エリア
【図１】
2011158105.tif 000003
【図２】
2011158105.tif 000004
【図３】
2011158105.tif 000005
【図４】
2011158105.tif 000006
【図５】
2011158105.tif 000007
【図６】
2011158105.tif 000008
【図７】
2011158105.tif 000009
【図８】
2011158105.tif 000010
【図９】
2011158105.tif 000011